(57)【要約】【課題】周囲への飛び散りをなくし、且つコーヒー粉に熱湯を均等に注ぐことができるコーヒーメーカの散水部材を提供すること。【解決手段】抽出器が着脱自在に装着されるサーバーを載置する載置台と該載置台の一端から上方に延設される支柱部と該支柱部の上部において前記載置台の上方に向かって庇状に突出して形成される庇部とを有する機器本体と、水タンクと、該水タンクと前記庇部の底部に開口され前記抽出器上に熱湯を供給する吐出口とを連通する液通路上に設けられる加熱源とを備えるコーヒーメーカにおいて、前記抽出器の上部に中心部から外周部の間の複数箇所に傾斜した液誘導面を有する散水部材を設けてなるコーヒーメーカ。【選択図】        図１
2004329633.tif 000002
【特許請求の範囲】
【請求項１】
抽出器が着脱自在に装着されるサーバーを載置する載置台と該載置台の一端から上方に延設される支柱部と該支柱部の上部において前記載置台の上方に向かって庇状に突出して形成される庇部とを有する機器本体と、水タンクと、該水タンクと前記庇部の底部に開口され前記抽出器上に熱湯を供給する吐出口とを連通する液通路上に設けられる加熱源とを備えるコーヒーメーカにおいて、前記抽出器の上部に中心部から外周部の間の複数箇所に傾斜した液誘導面を有する散水部材を設けることを特徴とするコーヒーメーカ。
【請求項２】
前記液誘導面は、中心部から外周に向かって放射状に設けられることを特徴とする請求項１記載のコーヒーメーカ。
【請求項３】
前記散水部材の全面は、平面視において前記抽出器への連通口のほぼ全面を覆うことを特徴とする請求項１、２記載のコーヒーメーカ。
【請求項４】
前記吐出口と前記散水部材との間に第２の散水部材を設けることを特徴とする請求項１乃至３記載のコーヒーメーカ。
【発明の詳細な説明】
【０００１】
【発明が属する技術分野】
本願発明は、コーヒーメーカに関し、さらに詳しくは、抽出器内への熱湯の散布を均等にしてなるドリップ式コーヒーメーカに関するものである。
【０００２】
【従来の技術】
コーヒーメーカは、家庭等で気楽にコーヒーを作ることができる機器として広く普及しているものである。従来から良く知られているドリップ式コーヒーメーカとして図１１に示すものがある。図に示すものは、載置部ｂ、庇部ｃ及び支柱部ｄからなる断面コ字状の機器本体ａを有する。
【０００３】
前記載置部ｂ上には、コーヒー粉が入れられる抽出器ｅが上部に配置されるサーバーｆが載置され、抽出器ｅ内に熱湯を供給することによりサーバーｆ内に抽出したコーヒーを回収する。また、前記支柱部ｄには底部にヒータｇを具備した加熱容器ｈが設けられ、該加熱容器ｈは導水パイプｉを介して前記庇部ｃに設けられる水タンクｊと連通される。更に、加熱容器ｈの上面には吐出パイプｋが設けられ、該吐出パイプｋの先端の吐出口ｍは前記抽出器ｅの上部に開口されるとともに、前記吐出口ｍの下部近傍には、複数個の穴ｎを有する断面半円弧状の散水蓋ｐが設けられる。
【０００４】
そして、前記水タンクｊより導水パイプｉを介して加熱容器ｈ内に導入された水はヒータｇにより加熱され、吐出パイプｋ先端の吐出口ｍより散水蓋ｐに設けられる複数個の穴ｎより前記抽出器ｅの上部に吐出され、抽出器ｅ内においてコーヒーを抽出し、抽出したコーヒーをサーバーｆ内に貯留する（例えば、特許文献１参照。）。
【０００５】
コーヒーメーカは、コーヒー粉に熱湯を均等に注ぐのがよいとされている。そして上記した従来のものは吐出パイプｋ先端の吐出口ｍより噴出される熱湯を、吐出口ｍ近傍に設けられる断面半円弧状の散水蓋ｐの複数個の穴ｎを介して散水することにより、散水蓋ｐが設けられないものに比べより良好にコーヒーを抽出することができるものである。
【０００６】
しかしながら、従来のコーヒーメーカの散水蓋ｐは、断面半円弧状の部分に複数個の穴ｎが設けられているため、広い範囲に亘って熱湯が拡散される傾向にある。また、散水蓋ｐの取り付け位置が吐出口ｍの下部近傍であり、散水蓋ｐと抽出器ｅとの距離が必然的に長くなり広い範囲に亘って熱湯が拡散される傾向はより高くなっている。そのため、例えば高さの低いサーバーを用いてコーヒーを抽出しようとする場合には、散水蓋ｐの穴ｎより供給される熱湯が抽出器ｅの外側にまで拡散し、抽出器ｅ及びサーバーｆの外周部にかかりそれらを汚したり、コーヒー抽出中に誤って手を近づけたりした場合には手にかかったりする恐れがあった。
【０００７】
【特許文献１】
特公昭６４−３４９３号公報。
【０００８】
【発明が解決しようとする課題】
本願発明の目的は、このような課題を解決するもので、周囲への飛び散りをなくし、且つコーヒー粉に熱湯を均等に注ぐことができるコーヒーメーカの散水部材を提供することである。
【０００９】
【課題を解決するための手段】
上記目的を達成するため、本願発明は以下の構成を採用する。
【００１０】
請求項１に係る発明では、抽出器が着脱自在に装着されるサーバーを載置する載置台と該載置台の一端から上方に延設される支柱部と該支柱部の上部において前記載置台の上方に向かって庇状に突出して形成される庇部とを有する機器本体と、水タンクと、該水タンクと前記庇部の底部に開口され前記抽出器上に熱湯を供給する吐出口とを連通する液通路上に設けられる加熱源とを備えるコーヒーメーカにおいて、前記抽出器の上部に中心部から外周部の間の複数箇所に傾斜した液誘導面を有する散水部材を設ける構成。
【００１１】
そしてこのような構成により、吐出口より供給される熱湯は、散水部材上に供給され傾斜した液誘導面の全面に広がって下方に向かって流れ、傾斜した液誘導面の下端より抽出器の広い開口面の範囲内に均等に供給されるため、抽出器等が汚れる等の弊害がなくおいしいコーヒーが抽出され、また、例え高さの低いサーバーを用いたとしても熱湯が飛び散ることがなく同様においしいコーヒーが抽出される。
【００１２】
請求項２に係る発明では、前記液誘導面は、中心部から外周に向かって放射状に設けられる構成。そしてこのような構成により、吐出口より供給される熱湯は、散水部材上に供給され傾斜した液誘導面の全面に広がって下方に向かって流れ、傾斜した液誘導面の下端より抽出器のほぼ全開口面内に供給されるため、抽出器等が汚れる等の弊害がなくよりおいしいコーヒーが抽出され、また、例え高さの低いサーバーを用いたとしても熱湯が飛び散ることがなく同様によりおいしいコーヒーが抽出される。
【００１３】
請求項３に係る発明では、前記散水部材の全面は、平面視において前記抽出器への連通口のほぼ全面を覆う構成。そしてこのような構成により、請求項１、２に係る発明の作用に加え、抽出器の上部開口面のほぼ全面が覆われるため、それだけ抽出器内からの放熱が低減され、且つ吐出口部での水滴の付着が低減される。
【００１４】
請求項４に係る発明では、前記吐出口と前記散水部材との間に第２の散水部材を設ける構成。そしてこのような構成により、請求項１乃至３に係る発明の作用に加え、吐出口より供給される熱湯が２段階で拡散されるため、コーヒー粉上への熱湯の供給がより安全且つより均等に行われる。
【００１５】
【発明の実施の形態】
図１乃至図１０に本願発明のコーヒーメーカ用の散水部材を示す。図１はコーヒーメーカの全体概略断面図を示し、図２乃至図５は本願発明の散水部材の平面、側面、底面図及び一部展開図を示し、図６乃至図９は本願発明の第２の散水部材の平面、側断面、底面図及び機能説明図を示し、図１０は本願発明の第２の散水部材が取り付けられる庇部の一部断面を含む底面図を示す。
【００１６】
コーヒーメーカは、ロート状の抽出器４が着脱自在に装着されるサーバー３を載置する載置台５と該載置台５の一端から上方に延設される支柱部６と該支柱部６の上部において前記載置台５の上方に向かって庇状に突出して形成される庇部７とを有する樹脂製で、且つ断面コ字状の機器本体１と、該庇部７上に着脱自在に装着される同じく樹脂製の水タンク２とを備えて構成されている。
【００１７】
前記載置台５の上面に形成されるサーバー載置部には、熱良導体からなる載置板８が設けられ、該載置板８の内面には、加熱源としての電気ヒータ９が接触状態で設けられており、電気ヒータ９への通電時には、載置板８が加熱されて保温板として作用する。この電気ヒータ９は、例えばコイル状の熱良導体９ａ内に発熱体であるシーズヒータ９ｂを埋設することにより構成され、全体として伝熱部９ｃを形成している。
【００１８】
前記支柱部６は、前記載置台５と庇部７とを連結するとともに、庇部７及び水タンク２とを支持する支柱の作用をする断面略円弧状の部材であり、その内部には液通路としての往路液通路１０及び復路液通路１１が上下方向に配設される。なお、機器本体１は断面コ字状の部材であるため、庇部７に水Ｗを入れた水タンク２を載せると支柱部６と反対側の前方が下方へ湾曲する力を受け、庇部７が前下方に折れ曲がる恐れがあるため、支柱部６にはその全周に亘り補強用のガイド部材６ａが取り付けられている。
【００１９】
前記庇部７は、載置台５の上方に向かって庇状に突出して形成されるとともに、その上面には、前記水タンク２を載置するための水平な載置面１２が形成され、該載置面１２には、前記水タンク２の給水口１８が装着される取水口１３が形成され、前記庇部７の下面中央部には、前記抽出器４へ水Ｗを供給するための吐出口１４が前記抽出器４と対応するように突出状態で設けられる。また、前記載置面１２の外周部位には環状の起立壁１５が一体に立設され、該起立壁１５により載置面１２上に載置される水タンク２の移動を防止している。
【００２０】
そして前記機器本体１内には、前記往路液通路１０及び復路液通路１１が上下方向に配設される。前記往路液通路１０の一端は、機器本体１の上部において載置面１２に形成される取水口１３に連結されるとともに、その他端は、機器本体１の下部において電気ヒータ９を有する伝熱部９ｃに連結され、水タンク２内の水Ｗを該往路液通路１０を介して前記伝熱部９ｃに導き該水Ｗを加熱沸騰させる。
【００２１】
また、前記復路液通路１１の一端は、機器本体１の下部において前記伝熱部９ｃに連結されるとともに、その他端は、機器本体１の上部において前記吐出口１４に連結され、伝熱部９ｃで加熱沸騰された熱湯を該復路液通路１１を介して後記する散水部材３５を介して前記抽出器４へ供給する。即ち、復路液通路１１内を流れる水は、伝熱部９ｃにおいて電気ヒータ９により加熱沸騰され、その際発生する水蒸気の圧力によって復路液通路１１の上方に押し上げられて吐出口１４から熱湯として吐出される。
【００２２】
なお、復路液通路１１は、図示しないがその途中位置は、水タンク２の満水位置以上の高さにまで持ち上げられ、空気溜まり空間を形成し、該空気溜まり空間から下方に延び前記吐出口１４に至る形状とされており、前記空気溜まり空間を形成することにより、コーヒーを適量作り、その加熱をオフ状態にした場合でもサイフォン効果により水タンク２内の残りの水が続いて導出することを防止することができる。
【００２３】
前記水タンク２は、水Ｗを収容する水収容部１６と、該水収容部１６の上端開口を覆うタンク蓋１７と、底面に設けられ前記水収容部１６の出口となる給水口１８とを備えた略円形容器からなり、水収容部１６の下部には前記載置面１２の外周上に形成される起立壁１５に内接する環状壁１６ａが形成され、水タンク２を載置面１２に載置すると前記環状壁１６ａが載置面１２の起立壁１５に内接する状態で収納されるため、載置後においては水タンク２の移動が防止される。そして、水タンク２の外周側部には把手１９が設けられる。
【００２４】
なお、環状壁１６ａの高さは、水タンク２が安定した状態で載置面１２上に載置できるように前記給水口１８の突出量より高くされている。このようにすると、水タンク２の取り付け状態において水タンク２を安定した起立姿勢に保持することができる。
【００２５】
また、前記給水口１８は、前記水収容部１６の底面において前記把手１９のほぼ反対側の位置に設けられるとともに、該給水口１８内にはスプリング２１の付勢力により常時閉弁される弁体２０が取り付けられる。そしてこの弁体２０は、水タンク２の水収容部１６内に水Ｗを入れ該水タンク２を載置面１２に載置することにより開弁される。即ち、水収容部１６内に水Ｗを入れた水タンク２を載置面１２に載置すると取水口１３内に上下方向に配置される突起体２２が前記弁体２０の下端に当接し、弁体２０をスプリング２１の付勢力に抗して開弁する。そのため、水タンク２内の水Ｗは、水タンク２を載置面１２に載置することにより前記往路液通路１０の全て及び復路液通路１１の一部に水Ｗを導入することになる。
【００２６】
前記サーバー３は、透明な耐熱ガラス製からなるコップ形状を有するもので、その側面には、把手３ａが付設される。そしてこのサーバー３の上端開口面には、樹脂製で且つロート状の抽出器４が着脱可能に載置される。
【００２７】
この抽出器４内には、その内周面に適合した形状に折り畳まれたフィルター２３が内装され、該フィルター２３内には、コーヒー粉ｃが収容される。また、抽出器４の底部には複数個の抽出口２４が形成されるとともに、その上方開口面には蓋体３０が設けられる。
【００２８】
この蓋体３０の外周端部３１は、下方に湾曲されるとともに、その先端には図４に示すように抽出器４の上端部に嵌合可能な環状溝３２が形成される平面視円形状で、且つ略ハット状の樹脂製部材であり、その中央部には、前記吐出口１４から注がれる熱湯を受け止めて抽出器４内に導く連通口３３が形成されている。この連通口３３の外周端には、筒状の環状ガイド壁３４が垂下する形態で一体に形成されており、該連通口３３内に凹部を形成している。なお、この蓋体３０はサーバー３の蓋として用いることもできる。
【００２９】
そして、この連通口３３内には、吐出口１４から供給される熱湯を均等に拡散するための散水部材３５が形成される。この散水部材３５は、ともに一体に形成されてなる中央部の筒状部材３６及び羽根状部材３７からなる。前記筒状部材３６は、環状ガイド壁３４の中央位置に上下方向に配置され、その中心部には開口３６ａを有し、吐出口１４からこの開口３６ａに注がれる熱湯をそのまま抽出器４に導く。
【００３０】
前記羽根状部材３７は、図５に示すように上下方向に配置される垂直リブ３８と傾斜壁３９とからなり、環状ガイド壁３４内において該環状ガイド壁３４と前記筒状部材３６との間で放射状に、且つ等間隔に８個形成されてなり、全体として扇風機の羽根と類似の形状を有している。
【００３１】
前記垂直リブ３８は、矩形状の平板部材であり、それぞれは図２及び図４に示すように、中央部の筒状部材３６と環状ガイド壁３４との間に長辺部を水平に短辺部を垂直にする形態で放射状に、且つ等間隔に配置される。また、図５に示すように垂直リブ３８の上端部３８ａは、蓋体３０の上端面３０ａより所定の長さＨ１だけ低い位置に、またその下端部３８ｂは、環状ガイド壁３４の下端部３４ｂより所定長さＨ２上方に位置するように形成される。
【００３２】
そして前記傾斜壁３９は、その上端部を垂直リブ３８の上端部３８ａとほぼ同じ位置にされるとともに、その下端部は環状ガイド壁３４の下端部３４ｂとにほぼ同じ位置にまで延設されている。そしてその平面視形状は図２及び図４に示すように三角形状とされ、８枚のそれぞれは図２に示すように上方から見て左方向に下がる形態の傾斜面として形成される。なお、この傾斜方向は逆でも良い。
【００３３】
このように前記垂直リブ３８は、その上端部３８ａにおいて前記傾斜壁３９と一体化されているため、図５に示すように垂直リブ３８の上端部３８ａに注がれる熱湯ＨＷの一部ＨＷ１を傾斜壁３９方向に導くとともに、他の一部ＨＷ２を垂直リブ３８方向に沿って真下に導き、抽出器４に注ぐ。即ち、垂直リブ３８がないと、熱湯の他の一部ＨＷ２が傾斜壁３９の裏面に回り込み、その一部が更に該裏面に付着停滞し、結果的に不均等散水になるとともに熱湯の温度が下がるという弊害が生じるが、垂直リブ３８を設けることによりこのような弊害が防止される。また、この垂直リブ３８を設けることにより、蓋体３０の開口面積を低減することができるためそれだけ抽出器４内の温度低下を低減することができる。
【００３４】
そして、傾斜壁３９方向に導かれる熱湯ＨＷの一部ＨＷ１は、傾斜壁３９の上面全体に均等に広がって下方に流れ、後記の８箇所の空隙４０より抽出器４内に均等に注がれる。なお、空隙４０の数を増やせばそれだけ均等度は高まる。
【００３５】
ところで、前述したように散水部材３５は、蓋体３０の上端面３０ａより長さＨ１だけ低い位置に設けられるため、吐出口１４から供給される熱湯が散水部材３５に当たって周囲に飛び散る弊害が低減されるとともに、垂直リブ３８の上端部３８ａを伝って外方に流れ出ることも防止される。
【００３６】
符号４０は、ある羽根状部材３７の傾斜壁３９の下方側先端と、隣の羽根状部材３７の垂直リブ３８との間に形成される空隙であり、図２及び図４に示すように平面視で若干の幅ｄを有するとともに、図５に示すように垂直リブ３８の下端部３８ｂと傾斜壁３９の下端部（環状ガイド壁３４の下端部３４ｂが相当）とは高さが異なるため、その下方ではより大きな面積を有しており、抽出器４に注がれる熱湯の導出を滑らかにする。このように散水部材３５は平面視での開口面積を少なくする形態で形成されているため、抽出器４内の温度低下を極力少なくすることができる。
【００３７】
なお、空隙４０の平面視での若干の幅ｄをなくした方が抽出器４内の温度低下をより少なくすることができて好ましいが、この幅ｄは散水部材３５を形成する際の型抜きに利用されるものであり、簡単且つ安価に散水部材３５を形成する場合には必要な空隙となる。
【００３８】
符号４５は第２の散水部材である。この第２の散水部材４５は、フランジ部４６及び筒状部４７からなる略ハット状の樹脂製部材である。前記フランジ部４６は、水平で且つ中央に開口を有するリング状の部材であり、前記庇部７に対し着脱自在にされる。
【００３９】
前記筒状部４７は、中央から外周にかけて配置される中央環状壁４８、中間環状壁４９及び外周環状壁５０、更にはそれらの環状壁４８、４９、５０を連結する各支柱からなる。前記中央環状壁４８、中間環状壁４９及び外周環状壁５０は、中央環状壁４８が最小で外周環状壁５０が最大で中間環状壁４９がその中間の径を有する円形の部材で、中央環状壁４８、中間環状壁４９及び外周環状壁５０の順に中央から外周にかけ同心状で、且つほぼ等間隔に配置される。
【００４０】
また、それらの高さは、図７に示すように中間環状壁４９及び外周環状壁５０は同じ高さであるが、中央環状壁４８は低くされ、且つその上端部４８ａは中間環状壁４９の上端部４９ａより長さＨ３だけ低い位置になるように配置される。このように中央環状壁４８の上端部４８ａを中間環状壁４９の上端部４９ａより長さＨ３だけ低い位置になるように配置することにより、前記吐出口１４より吐出される熱湯が中央環状壁４８の上端部４８ａへ衝突した後の周囲への飛び散りを低減することができる。
【００４１】
前記支柱は、中央環状壁４８、中間環状壁４９及び外周環状壁５０を連結するために水平方向に配置される細径の棒状部材で、その中央に配置される高さの低い中心部材５１と中央環状壁４８との間には、４本の中央支柱５２が等間隔に横架され、中央環状壁４８と中間環状壁４９との間には、８本の中間支柱５３が等間隔に横架され、中間環状壁４９と外周環状壁５０との間には、８本の外周支柱５４が等間隔に横架され、全体として格子形状を呈している。
【００４２】
そのため、前記吐出口１４より吐出される熱湯は、中央環状壁４８内の空間、中央環状壁４８と中間環状壁４９内の空間及び中央環状壁４８と外周環状壁５０内の空間に分散されて流下するとともに、各空間内においても４本の中央支柱５２、８本の中間支柱５３及び８本の外周支柱５４に分散されて流下することになり、それだけ熱湯がより多く分散される。
【００４３】
また、前記外周環状壁５０には、前記フランジ部４６を突き抜けるような形態で上方に向けて４本の角柱部材５５が等間隔に立設される。該角柱部材５５の先端には外側に向かって突出する凸部５６ａを有する係止片５６が形成される。更に、前記外周環状壁５０の外周には、図８に示すように複数個のリブ５７が形成されており、第２の散水部材４５を前記庇部７に回動して取り付ける際には、該リブ５７が滑り止めとして機能する。
【００４４】
ところで、前記４本の中央支柱５２及び８本の中間支柱５３は、中央環状壁４８の下端部４８ｂ及び中間環状壁４９の下端部４９ｂよりそれぞれ上方になるように配置される。このような位置に配置することによる利点を図９により説明する。前記吐出口１４より吐出され前記４本の中央支柱５２或いは８本の中間支柱５３に当たる熱湯の一部（矢印（１））は、それらの支柱５２、５３に沿って勢いよく外方に流れる（矢印（２））ことになる。この場合、それらの支柱５２、５３が中央環状壁４８の下端部４８ｂ或いは中間環状壁４９の下端部４９ｂより上方にないと図９の矢印（１）、（２）で示す熱湯は、矢印（４）で示すように外周方向に飛び散ることになるが、上記の形態のように配置することにより、矢印（１）、（２）で示す熱湯は、中央環状壁４８の下端部４８ｂ或いは中間環状壁４９の下端部４９ｂに衝突し、矢印（３）で示すように下方に向きを変えて流下される。その結果、周囲への飛び散りをなくすることができる。
【００４５】
前記第２の散水部材４５の取り付けについて説明する。図１０に第２の散水部材４５が取り付けられる庇部７の部分を示す。庇部７の底面には、前記吐出口１４を残しその他の部分を覆うキャップ５８がビス５９により取り付けられている。該キャップ５８には４個の係止孔６０がキャップ５８の中心から等距離且つ等間隔に設けられている。
【００４６】
この係止孔６０は、大孔６０ａ及び小孔６０ｂからなり、該大孔６０ａ内に前記第２の散水部材４５の係止片５６を挿入後、第２の散水部材４５の外周に形成される複数個のリブ５７を持ち該第２の散水部材４５を回動し、第２の散水部材４５の係止片５６を小孔６０ｂ内に挿入することにより第２の散水部材４５を固定する。第２の散水部材４５を固定した後においては、散水部材は、この第２の散水部材４５と抽出器４の蓋体３０に形成される散水部材３５の２段構えになり、両散水部材３５、４５により熱湯が分散されるため、その散水効果がより高まり、その結果より均等に熱湯がコーヒー粉状に散布されることになり、よりおいしいコーヒーを抽出することができる。
【００４７】
上記のように横成されたコーヒーメーカにおいては、次のような作用効果が得られる。
【００４８】
コーヒー抽出時には、まず、抽出器４内にフィルター２３をセットし、所定量のコーヒー粉Ｃをフィルター２３内に入れる。その状態で所定量の水Ｗを収容した水タンク２の給水口１８を取水口１３に装着し、電源を投入すると、水タンク２内の水Ｗは、給水口１８の取水口１３への装着と同時に開弁される弁体２０を介して往路液通路１０に流れ込む。該往路液通路１０に流れ込んだ水Ｗは、伝熱部９ｃを通過する過程で電気ヒータ９により加熱沸騰せしめられ、その時発生する水蒸気の圧力により押し上げられて復路液通路１１を経て該復路液通路１１先端の吐出口１４から第２の散水部材４５に向かって吐出される。
【００４９】
第２の散水部材４５に向かって吐出された熱湯は、該第２の散水部材４５で分散され、抽出器４の蓋体３０に形成される散水部材３５に吐出される。そして該散水部材３５により更に細かく且つ均等に分散され、抽出器４内に導入される。抽出器４においては、導入された熱湯によりコーヒー液が抽出され、抽出されたコーヒー液は抽出口２４からサーバー３内に流下し、おいしいコーヒーとして貯留される。
【００５０】
本願発明は、前記実施例の構成に限定されるものではなく、発明の要旨を逸脱しない範囲において適宜設計変更可能である。
【００５１】
【発明の効果】
請求項１に係る発明では、抽出器の上部に中心部から外周部の間の複数箇所に傾斜した液誘導面を有する散水部材を設けることにより、吐出口より供給される熱湯を傾斜した液誘導面の全面に広がった形態で下方に向かって流し、傾斜した液誘導面の全下端より抽出器の開口面の広い範囲内に供給することができるため、抽出器等を汚したり誤って手にコーヒーがかかる弊害をなくすることができるとともに、おいしいコーヒーを抽出することができる。また、例え高さの低いサーバーを用いたとしても熱湯が飛び散ることがなく同様に安全且つおいしいコーヒーを抽出することができる。
【００５２】
請求項２に係る発明では、液誘導面を中心部から外周に向かって放射状に設けることにより、吐出口より供給される熱湯を傾斜した液誘導面の全面に広がった形態で下方に向かって流し、傾斜した液誘導面の全下端より抽出器のほぼ全開口面の広い範囲内により均等に供給することができるため、抽出器等を汚したり誤って手にコーヒーがかかる弊害をなくすることができるとともに、よりおいしいコーヒーを抽出することができる。また、例え高さの低いサーバーを用いたとしても熱湯が飛び散ることがなく同様に安全且つよりおいしいコーヒーを抽出することができる。
【００５３】
請求項３に係る発明では、散水部材の全面を平面視において抽出器への連通口のほぼ全面を覆うことにより、請求項１、２に係る発明の効果に加え、抽出器の上部開口面のほぼ全面を覆うことができ、それだけ抽出器内からの放熱を低減することができ、且つ吐出口部に発生しがちな水滴の付着をなくすことができる。その結果、それだけよりおいしいコーヒーを抽出することができる。
【００５４】
請求項４に係る発明では、吐出口と散水部材との間に第２の散水部材を設けることにより、請求項１乃至３に係る発明の効果に加え、吐出口より供給される熱湯を２段階で拡散して散水することができるため、コーヒー粉上への熱湯の供給をより安全且つより均等に行うことができる。その結果、それだけよりおいしいコーヒーを抽出することができる。
【図面の簡単な説明】
【図１】本願発明のコーヒーメーカの全体を示す概略断面図。
【図２】本願発明の散水部材を示す拡大平面図。
【図３】本願発明の散水部材を示す拡大側面図。
【図４】本願発明の散水部材を示す拡大底面図。
【図５】本願発明の散水部材の一部を示す拡大展開断面図。
【図６】本願発明の第２の散水部材を示す拡大平面図。
【図７】図６のＡ−Ａ線断面図。
【図８】本願発明の第２の散水部材を示す拡大底面図。
【図９】本願発明の第２の散水部材の一部機能説明図。
【図１０】本願発明の第２の散水部材が取り付けられる庇部の一部断面を含む底面図。
【図１１】従来のコーヒーメーカの概略断面図。
【符号の説明】
１…機器本体            ２…水タンク
３…サーバー            ３ａ…把手
４…抽出器              ５…載置台
６…支柱部              ６ａ…ガイド部材
７…庇部                ８…載置板
９…電気ヒータ          ９ａ…熱良導体
９ｂ…シーズヒータ      ９ｃ…伝熱部
１０…往路液通路        １１…復路液通路
１２…載置面            １３…取水口
１４…吐出口            １５…起立壁
１６…水収容部          １６ａ…環状壁
１７…タンク蓋          １８…給水口
１９…把手              ２０…弁体
２１…スプリング        ２２…突起体
２３…フィルター        ２４…抽出口
３０…蓋体              ３０ａ…上端面
３１…外周端部          ３２…環状溝
３３…連通口            ３４…環状ガイド壁
３４ｂ…下端部          ３５…散水部材
３６…筒状部材          ３６ａ…開口
３７…羽根状部材        ３８…垂直リブ
３８ａ…上端部          ３８ｂ…下端部
３９…傾斜壁            ４０…空隙
４５…第２の散水部材    ４６…フランジ部
４７…筒状部            ４８…中央環状壁
４８ａ…上端部          ４８ｂ…下端部
４９…中間環状壁        ４９ａ…上端部
４９ｂ…下端部          ５０…外周環状壁
５１…中心部材          ５２…中央支柱
５３…中間支柱          ５４…外周支柱
５５…角柱部材          ５６…係止片
５６ａ…凸部            ５７…リブ
５８…キャップ          ５９…ビス
６０…係止孔            ６０ａ…大孔
６０ｂ…小孔
【図１】
2004329633.tif 000003
【図２】
2004329633.tif 000004
【図３】
2004329633.tif 000005
【図４】
2004329633.tif 000006
【図５】
2004329633.tif 000007
【図６】
2004329633.tif 000008
【図７】
2004329633.tif 000009
【図８】
2004329633.tif 000010
【図９】
2004329633.tif 000011
【図１０】
2004329633.tif 000012
【図１１】
2004329633.tif 000013